(57)【要約】【課題】  画素が粗いドットマトリクス表示素子において、エッジを目立たなくし、表示としてのギザギザ感を解消することができるヘッドアップディスプレイ用表示装置を提供すること。【解決手段】  ドットマトリクスの表示を行うＶＦＤ（蛍光表示管）２の表示を、車両のフロントウインドシールド５で反射させ、乗員への表示を行うヘッドアップディスプレイ１において、ドットマトリクスを構成する多数の表示ドット２１は、円形形状にした。【選択図】        図１
2008107632.tif 000002
【特許請求の範囲】
【請求項１】
ドットマトリクスの表示を行う表示器の表示を、車両のフロントウインドシールドで反射させ、乗員への表示を行うヘッドアップディスプレイにおいて、
前記ドットマトリクスを構成する多数の表示ドットは、円形形状または矩形の角部を丸みのある形状にした、
ことを特徴とするヘッドアップディスプレイ用表示装置。
【発明の詳細な説明】
【技術分野】
【０００１】
本発明は、フロントウインドシールドに反射させる表示により、車両から乗員へ様々な情報を伝達するヘッドアップディスプレイ用表示装置の技術分野に属する。
【背景技術】
【０００２】
従来のヘッドアップディスプレイでは、ドットマトリクス表示タイプの表示器として蛍光表示管（ＶＦＤ）を用いているものがある（例えば、特許文献１参照。）。
【特許文献１】特開平８―２２７４９８号公報（第２−８頁、全図）
【発明の開示】
【発明が解決しようとする課題】
【０００３】
しかしながら、従来のヘッドアップディスプレイ用表示装置にあっては、ヘッドアップディスプレイとしての表示視認性を確保するため、表示器として高輝度表示が必要としていた。
これに対して蛍光表示管（ＶＦＤ）を高輝度にするためには、ドットパターンの高精細化が難しく、粗い画素となるため、表示品質が低下する。
また、液晶やＯＥＬＤ（有機ＥＬ）などにおいてもドットマトリクス表示を行う場合には同様である。
すなわち、ドットパターンが粗くなるために、文字・絵柄等の斜め線や曲線のギザギザ感が気になるという問題が発生する。
【０００４】
これに対して、通常の高精細表示器において、表示としてのギザギザ感を解消するためには、ドット毎に輝度や色の濃淡を形成することで、アンチエイリアス処理を施すが、粗い画素の場合、アンチエイリアス処理をするために十分な画素がなくギザギザ感の解消が難しいものであった。
【０００５】
本発明は、上記問題点に着目してなされたもので、その目的とするところは、画素が粗いドットマトリクス表示素子において、エッジを目立たなくし、表示としてのギザギザ感を解消することができるヘッドアップディスプレイ用表示装置を提供することにある。
【課題を解決するための手段】
【０００６】
上記目的を達成するため、本発明では、ドットマトリクスの表示を行う表示器の表示を、車両のフロントウインドシールドで反射させ、乗員への表示を行うヘッドアップディスプレイにおいて、前記ドットマトリクスを構成する多数の表示ドットは、円形形状または矩形の角部を丸みのある形状にした、ことを特徴とする。
【発明の効果】
【０００７】
よって、本発明にあっては、画素が粗いドットマトリクス表示素子において、エッジを目立たなくし、表示としてのギザギザ感を解消することができる。
【発明を実施するための最良の形態】
【０００８】
以下、本発明のヘッドアップディスプレイ用表示装置を実現する実施の形態を、請求項１に係る発明に対応する実施例１と、請求項１に係る発明に対応する実施例２に基づいて説明する。
【実施例１】
【０００９】
まず、構成を説明する。
図１は実施例１のヘッドアップディスプレイ用表示装置を用いた車両用ヘッドアップディスプレイの説明図である。
実施例１における車両用のヘッドアップディスプレイ１は、ＶＦＤ２、ミラー３、制御部４を主要な構成としている。
ＶＦＤ２は、蛍光表示管の自発光によるドットマトリクス表示により、制御部４の制御により、設定されている画像やキャラクター等の表示を行う。例えば、４つの文字が横４２×縦１４の表示ドットで構成されるよう、表示ドットを複数配列したものを例として挙げておく。
【００１０】
ミラー３は、ＶＦＤ２からの光をフロントウインドシールド５の反射位置へ反射するものである。
制御部４は、ＶＦＤ２の表示に関する制御を行う。また、表示内容について、車両から情報を得て処理等を行う。
【００１１】
次に実施例１のＶＦＤの表示ドットにおけるドット形状の構成について説明する。
図２は実施例１のヘッドアップディスプレイ用表示装置のドット形状を示す説明図である。
実施例１では、図２に示すように、１つの表示ドット２１において、従来は矩形形状であったものを円形形状にする。
【００１２】
作用を説明する。
[エッジを目立たなくする作用]
図３はＶＦＤのドット形状を示す説明図である。図４はＶＦＤの表示例を示す説明図である。
従来のＶＦＤにおいては、図３に示すように表示ドット２０は、矩形のものであった。
この従来のＶＦＤにおいて、高輝度を持たせるために粗い画素となった場合には、図４に示すように例えば４つの文字である文字「Ａｕｔｏ」を表示するのに、横４２×縦１４の表示ドット２０の組み合わせたものを用いると、１つの表示ドット２０の角部が目立つものになる。また、斜め線や曲線部分のギザギザ感が目立つものになる。表示品質としては、十分なものではない。
【００１３】
図５は実施例１のヘッドアップディスプレイ用表示装置の表示例を示す説明図である。
実施例１では、文字「Ａｕｔｏ」を比較のために、横４２×縦１４の表示ドット２１で表示している。
図５に示すように、表示ドット２１が円形となることによって、１つの表示ドット２１の従来なら存在する角部や斜め線や曲線部分のギザギザ感が目立たなくなる。
【００１４】
このように、１つの表示ドット２１の従来なら存在する角部や斜め線や曲線部分のギザギザ感が目立たなくなることにより、表示品質が向上する。
よって、ヘッドアップディスプレイに用いられるＶＦＤ２に要求される高輝度の要求を満たすために、粗い画素となった表示でも、高い表示品質で表示を行うことができるようになる。
【００１５】
ヘッドアップディスプレイとしては、省スペースやコスト、表示内容からＶＦＤ２を選択した際に、十分な輝度と良好な表示品質で表示が行えるため、要求仕様に対応して見やすい表示を提供できることになる。
【００１６】
次に、効果を説明する。
実施例１のヘッドアップディスプレイ用表示装置にあっては、下記に列挙する効果を得ることができる。
【００１７】
(1)ドットマトリクスの表示を行うＶＦＤ２の表示を、車両のフロントウインドシールド５で反射させ、乗員への表示を行うヘッドアップディスプレイ１において、ドットマトリクスを構成する多数の表示ドット２１は、円形形状にしたため、画素が粗いドットマトリクス表示素子において、エッジを目立たなくし、表示としてのギザギザ感を解消することができる。
【実施例２】
【００１８】
実施例２は、表示ドットの形状を矩形の角部に角Ｒを設けた形状にした例である。
図６は実施例２のヘッドアップディスプレイ用表示装置のドット形状を示す説明図である。
実施例２では、ドットマトリクスを構成する表示ドットのそれぞれを正方形形状とし、さらに、その４つの角部の全てを、Ｒ面取りを行った形状にする。
その他構成は実施例１と同様であるので説明を省略する。
１と同様であるので説明を省略する。
【００１９】
作用を説明する。
[エッジを目立たなくする作用]
実施例２では、ドットマトリクスを構成する表示ドットのそれぞれを矩形で角部をＲ形状にしているので、１つの表示ドット２２の角部や斜め線や曲線部分のギザギザ感が目立たなくなることにより、表示品質が向上する。
【００２０】
次に、効果を説明する。
実施例２のヘッドアップディスプレイ用表示装置にあっては、下記の効果を得ることができる。
(1)´ドットマトリクスの表示を行うＶＦＤ２の表示を、車両のフロントウインドシールド５で反射させ、乗員への表示を行うヘッドアップディスプレイ１において、ドットマトリクスを構成する多数の表示ドット２１は、矩形の角部を丸みのある形状にしたため、画素が粗いドットマトリクス表示素子において、エッジを目立たなくし、表示としてのギザギザ感を解消することができる。
その他作用効果は実施例１と同様であるので説明を省略する。
【００２１】
以上、本発明のヘッドアップディスプレイ用表示装置を実施例１、実施例２に基づき説明してきたが、具体的な構成については、これらの実施例に限られるものではなく、特許請求の範囲の各請求項に係る発明の要旨を逸脱しない限り、設計の変更や追加等は許容される。
ドットマトリクス表示の例として、実施例１、実施例２ではＶＦＤ（蛍光表示管）による表示器を示したが、ドットマトリクス表示は、ＯＬＥＤ（有機ＥＬ）や液晶であってもよい。
【００２２】
そのため、格子状の電極の交差する部分の形状を円形または矩形の角部を丸みのある形状にしたものであってもよいし、個々の表示ドットに該当する蛍光体の印刷形状を円形または矩形の角部を丸みのある形状にしたものであってもよい。
実施例１、実施例２では、表示の例として文字について説明したが、絵柄を表示するものであってもよい。
【図面の簡単な説明】
【００２３】
【図１】実施例１のヘッドアップディスプレイ用表示装置を用いた車両用ヘッドアップディスプレイの説明図である。
【図２】実施例１のヘッドアップディスプレイ用表示装置のドット形状を示す説明図である。
【図３】ＶＦＤのドット形状を示す説明図である。
【図４】ＶＦＤの表示例を示す説明図である。
【図５】実施例１のヘッドアップディスプレイ用表示装置の表示例を示す説明図である。
【図６】実施例２のヘッドアップディスプレイ用表示装置のドット形状を示す説明図である。
【符号の説明】
【００２４】
１  ヘッドアップディスプレイ
２  ＶＦＤ
２０  （従来の）表示ドット
２１  表示ドット
２２  表示ドット
３  ミラー
４  制御部
５  フロントウインドシールド
【図１】
2008107632.tif 000003
【図２】
2008107632.tif 000004
【図３】
2008107632.tif 000005
【図４】
2008107632.tif 000006
【図５】
2008107632.tif 000007
【図６】
2008107632.tif 000008